(57)【要約】【課題】ミストノズル１６に供給する水を液々熱交換器１８においてミスト用熱媒循環路１９に循環させる熱媒体により加熱し、ミストノズルから温水を噴霧させるミストサウナ装置であって、ミスト弁２３と給水弁２１とを閉弁してミスト運転を終了した後に、給水弁２１を一旦開弁させて、給水弁２１の開弁後の熱媒温度センサ１５の検出温度の変化に基づいて液々熱交換器内のリーク発生の有無を判定するリーク検査を行うものにおいて、リーク検査後の給水弁の閉弁で給水弁とミスト弁との間に封じ込められた水の水圧が次のミスト運転開始前の予熱運転中の水温上昇で過度に昇圧し、ミスト弁が開弁不能になることを防止する。【解決手段】ミスト運転の終了指令が出されたときに、ミスト温度センサ２４の検出温度が所定の基準温度未満の場合は、リーク検査を禁止し、給水弁２１をミスト弁２３に先行して閉弁させる。【選択図】図１
2011036318.tif 000002
【特許請求の範囲】
【請求項１】
熱源機と、ミストノズルと、ミストノズルに連なるミスト用給水路と、ミスト用給水路に二次側を介設した液々熱交換器と、熱源機で加熱された熱媒体を熱源機に設けた循環ポンプの作動で液々熱交換器の一次側を介して循環させるミスト用熱媒循環路とを備え、ミストノズルに供給する水を液々熱交換器においてミスト用熱媒循環路に循環させる熱媒体により加熱し、ミストノズルから温水を噴霧させるミスト運転を行うようにしたミストサウナ装置であって、
液々熱交換器の上流側のミスト用給水路の部分に介設した給水弁と、液々熱交換器の下流側のミスト用給水路の部分に介設したミスト弁と、ミスト用熱媒循環路に介設した流量調節弁と、液々熱交換器の二次側の水温を検出する二次側温度センサと、液々熱交換器の一次側の熱媒体温度を検出する一次側温度センサと、液々熱交換器の一次側と二次側との間のリーク発生を検査するリーク検査手段とを備え、
リーク検査手段は、ミスト弁と給水弁とを閉弁してミスト運転を終了した後に、給水弁を一旦開弁させて、給水弁の開弁後の一次側温度センサの検出温度の変化に基づいてリーク発生の有無を判定するリーク検査制御を行うように構成されるものにおいて、
ミスト運転の終了指令が出されたときに、二次側温度センサの検出温度が所定の基準温度未満の場合は、リーク検査制御を禁止し、給水弁をミスト弁に先行して閉弁させることを特徴とするミストサウナ装置。
【請求項２】
浴室暖房機に組み込まれる請求項１記載のミストサウナ装置であって、前記ミスト用熱媒循環路は、浴室暖房機に設けられる暖房用の放熱器に前記熱源機からの熱媒体を供給する暖房用熱媒循環路の往路から分岐されて前記液々熱交換器の一次側の入口に接続される流入路と、放熱器から熱源機に熱媒体を戻す暖房用熱媒循環路の復路から分岐されて液々熱交換器の一次側の出口に接続される流出路とで構成され、暖房用循環路の往路に、放熱器に供給される熱媒体の温度を検出する熱媒温度センサを配置するものにおいて、
熱媒温度センサを前記一次側温度センサとして兼用し、前記流量調節弁は流出路に介設され、流量制御弁を閉弁させた状態で前記リーク検査制御を実行することを特徴とするミストサウナ装置。
【請求項３】
ミスト運転の終了指令が出されたときに、前記二次側温度センサの検出温度が前記基準温度以上の場合は、ミスト運転の終了指令が出されてから前記循環ポンプが停止するまでにかかる時間に合わせて設定した所定の待ち時間経過後に前記リーク検査制御を実行することを特徴とする請求項２記載のミストサウナ装置。
【発明の詳細な説明】
【技術分野】
【０００１】
本発明は、浴室に温水を噴霧してサウナ効果を得られるようにしたミストサウナ装置に関する。
【背景技術】
【０００２】
従来、この種のミストサウナ装置として、熱源機と、ミストノズルと、ミストノズルに連なるミスト用給水路と、ミスト用給水路に二次側を介設した液々熱交換器と、熱源機で加熱された熱媒体を熱源機に設けた循環ポンプの作動で液々熱交換器の一次側を介して循環させるミスト用熱媒循環路とを備え、ミストノズルに供給する水を液々熱交換器においてミスト用熱媒循環路に循環させる熱媒体により加熱し、ミストノズルから温水を噴霧させるようにしたものは知られている。
【０００３】
このものでは、液々熱交換器の上流側のミスト用給水路の部分に介設した給水弁と、液々熱交換器の下流側のミスト用給水路の部分に介設したミスト弁と、ミスト用熱媒循環路に介設した流量調節弁と、液々熱交換器の二次側の水温を検出する二次側温度センサとを備えている。そして、ミスト運転の開始指令が出されたとき、熱源機で熱媒体を加熱すると共に循環ポンプを作動させ、給水弁及びミスト弁を閉弁したまま流量調節弁を開弁して液々熱交換器の一次側に熱媒体を循環させる予熱運転を行い、その後、給水弁及びミスト弁を開弁してミスト運転を開始し、以後、二次側温度センサの検出温度が室温に応じた所定温度になるように流量調節弁で液々熱交換器の一次側に流れる熱媒体の流量を調節する温調制御を行っている。
【０００４】
ところで、ミストサウナ装置を長期間使用すると、液々熱交換器の内部腐食等で一次側と二次側との間のリークが発生することがある。そこで、液々熱交換器のリーク発生を検査する機能を有するミストサウナ装置も知られている（例えば、特許文献１参照）。このものでは、液々熱交換器の一次側の熱媒体温度を検出する一次側温度センサを設け、ミスト弁と給水弁とを閉弁してミスト運転を終了した後に、給水弁を一旦開弁させ、給水弁の開弁後の熱媒温度センサの検出温度の変化に基づいてリーク発生の有無を判定するリーク検査制御を行うようにしている。ここで、リークが発生していると、給水弁の開弁で液々熱交換器の二次側から一次側に水が流入して、一次側温度センサの検出温度が低下し、リーク発生有りと判定される。
【０００５】
然し、このようなリーク検査制御を行うと、以下の不具合を生ずることが判明した。即ち、リーク検査制御に際しては、ミスト弁が閉弁された状態で給水弁が一旦開弁されるため、リーク検査制御の完了で給水弁を閉弁したとき、給水弁とミスト弁との間に給水圧が掛かったまま水が封じ込められることになる。ここで、ミスト運転中に室温が設定温度以上に上昇したときは、温調制御で液々熱交換器の二次側の水温（ミスト温度）を下げるようにしており、ミスト運転終了時に液々熱交換器の二次側の水温が比較的低温になることがある。この場合、リーク検査制御完了後にミスト運転の開始指令が出されて予熱運転が行われたとき、液々熱交換器の二次側の水温が前回のミスト運転終了時の水温をかなり上回る温度に上昇して、給水弁とミスト弁との間の水圧が給水圧を大幅に上回る圧まで上昇してしまうことがある。このような事態になると、ミスト弁の弁体がこの水圧で閉じ側に強く押圧され、予熱運転完了時にミスト弁が開弁不能となって、温水を噴霧できなくなる。
【先行技術文献】
【特許文献】
【０００６】
【特許文献１】特開２００７−２１２０９６号公報
【発明の概要】
【発明が解決しようとする課題】
【０００７】
本発明は、以上の点に鑑み、ミスト弁が開弁不能になることを防止できるようにしたミストサウナ装置を提供することをその課題としている。
【課題を解決するための手段】
【０００８】
上記課題を解決するために、本発明は、熱源機と、ミストノズルと、ミストノズルに連なるミスト用給水路と、ミスト用給水路に二次側を介設した液々熱交換器と、熱源機で加熱された熱媒体を熱源機に設けた循環ポンプの作動で液々熱交換器の一次側を介して循環させるミスト用熱媒循環路とを備え、ミストノズルに供給する水を液々熱交換器においてミスト用熱媒循環路に循環させる熱媒体により加熱し、ミストノズルから温水を噴霧させるミスト運転を行うようにしたミストサウナ装置であって、液々熱交換器の上流側のミスト用給水路の部分に介設した給水弁と、液々熱交換器の下流側のミスト用給水路の部分に介設したミスト弁と、ミスト用熱媒循環路に介設した流量調節弁と、液々熱交換器の二次側の水温を検出する二次側温度センサと、液々熱交換器の一次側の熱媒体温度を検出する一次側温度センサと、液々熱交換器の一次側と二次側との間のリーク発生を検査するリーク検査手段とを備え、リーク検査手段は、ミスト弁と給水弁とを閉弁してミスト運転を終了した後に、給水弁を一旦開弁させて、給水弁の開弁後の一次側温度センサの検出温度の変化に基づいてリーク発生の有無を判定するリーク検査制御を行うように構成されるものにおいて、ミスト運転の終了指令が出されたときに、二次側温度センサの検出温度が所定の基準温度未満の場合は、リーク検査制御を禁止し、給水弁をミスト弁に先行して閉弁させることを特徴とする。
【０００９】
本発明によれば、リーク検査制御が実行されるのは、ミスト運転終了時の液々熱交換器の二次側の水温が基準温度以上の比較的高温の場合だけである。そのため、リーク検査制御が完了してからミスト運転の開始指令が出されて予熱運転が行われたときに、液々熱交換器の二次側の水温が前回のミスト運転終了時の水温以上に上昇したとしても、その温度差は僅かになる。従って、予熱運転中に、給水弁とミスト弁との間の水圧が給水圧を大幅に上回る圧まで上昇することはなく、予熱運転完了時にミスト弁が開弁不能となることを防止できる。
【００１０】
また、ミスト運転終了時の液々熱交換器の二次側の水温が基準温度未満の場合は、給水弁をミスト弁に先行して閉弁させるため、ミスト弁の閉弁で給水弁とミスト弁との間に封じ込められる水の圧力は大気圧となる。従って、ミスト運転の開始指令が出されて予熱運転が行われたときに、液々熱交換器の二次側の水温が前回のミスト運転終了時の水温以上に上昇しても、給水弁とミスト弁との間の水圧は大気圧から上昇することになり、予熱運転完了時にミスト弁が開弁不能となることはない。
【００１１】
ところで、ミストサウナ装置を浴室暖房機に組み込む場合、ミスト用熱媒循環路は、一般的に、浴室暖房機に設けられる暖房用の放熱器に熱源機からの熱媒体を供給する暖房用熱媒循環路の往路から分岐されて液々熱交換器の一次側の入口に接続される流入路と、放熱器から熱源機に熱媒体を戻す暖房用熱媒循環路の復路から分岐されて液々熱交換器の一次側の出口に接続される流出路とで構成される。また、暖房用循環路の往路には、放熱器に供給される熱媒体の温度を検出する熱媒温度センサが配置される。
【００１２】
このものにおいて、熱媒温度センサを前記一次側温度センサとして兼用すれば、コストダウンを図ることができる。この場合、流量調節弁を流入路に介設したのでは、リークの発生で液々熱交換器の二次側から一次側に水が流入しても、この水が流出路に流れ、流入路に連なる暖房用循環路の往路に配置した熱媒温度センサの検出温度が低下せず、リーク発生無しと誤判定される可能性がある。これに対し、流出路に流量調節弁を介設し、流量制御弁を閉弁させた状態でリーク検査制御を実行すれば、リークにより液々熱交換器の二次側から一次側に流入した水が流出路に流れることを阻止して、誤判定を防止することができる。
【００１３】
尚、ミスト運転の終了指令が出されても、循環ポンプは直ちには停止されず、後沸き防止のために、暫く継続作動される。そのため、ミスト運転の終了指令が出されたときに、二次側温度センサの検出温度が基準温度以上のときは、ミスト運転の終了指令が出されてから循環ポンプが停止するまでにかかる時間に合わせて設定した所定の待ち時間経過後にリーク検査制御を実行することが望ましい。これによれば、液々熱交換器の二次側から一次側への水のリークが循環ポンプによる送水圧で妨げられることがなく、リーク発生の有無を正確に判定できる。
【００１４】
尚、後述する実施形態において、上記リーク検査手段に相当するのは、図２のＳＴＥＰ１０からＳＴＥＰ２２までの処理である。
【図面の簡単な説明】
【００１５】
【図１】本発明の実施形態のミストサウナ装置の全体構成を示す説明図。
【図２】実施形態のミストサウナ装置で実行するリーク検査制御を含むミスト運転制御の内容を示すフロー図。
【発明を実施するための形態】
【００１６】
図１を参照して、１は熱源機、２はミストサウナ装置を組み込んだ浴室暖房機を示している。熱源機１は、図示省略したバーナを熱源とする熱交換器３を備えている。浴室暖房機２は、浴室ＢＲの天井部ＢＲａに設置されている。浴室暖房機２の下面カバー４には、吸込み口５と、可変ルーバ６ａ付きの吹出し口６とが開設されている。浴室暖房機２内には、吸込み口５と吹出し口６とを結ぶ通風路７が画成されており、この通風路７に、放熱器８と循環ファン９とを配置している。
【００１７】
放熱器８は、暖房用熱媒循環路１０を介して熱源機１の熱交換器３に接続されている。暖房用熱媒循環路１０は、熱交換器３で加熱された熱媒体(水、不凍液等)を放熱器８に供給する往路１０ａと、放熱器８を通過した熱媒体を熱交換器３に戻す復路１０ｂとで構成される。熱源機１内には、復路１０ｂに介設されるシスターン１１と循環ポンプ１２とが設けられ、浴室暖房機２内には、往路１０ａに介設される熱動弁１３が設けられている。かくして、循環ポンプ１２を作動させると共に熱動弁１３を開弁させれば、熱交換器３で加熱された熱媒体が放熱器８を介して暖房用熱媒循環路１０に循環される。そして、循環ファン９の作動により吸込み口５から吸込まれた浴室ＢＲ内の空気が放熱器８で加熱され、温風となって吹出し口６から浴室ＢＲ内に送風され、浴室ＢＲの暖房が行われる。
【００１８】
また、浴室暖房機２は、吸込み口５に臨ませた室温センサ１４と、暖房用熱媒循環路１０の往路１０ａに配置した、放熱器８に供給される熱媒体の温度を検出する熱媒温度センサ１５とを備えている。尚、暖房用熱媒循環路１０には、往路１０ａから分岐してシスターン６に至るバイパス路１０ｃが設けられている。
【００１９】
浴室暖房機２には、更に、ミストサウナ装置を構成するミストノズル１６と、ミストノズル１６に連なるミスト用給水路１７と、液々熱交換器１８とが設けられている。液々熱交換器１８の二次側１８ｂはミスト用給水路１７に介設されている。そして、液々熱交換器１８の一次側１８ａに、暖房用熱媒循環路１０から分岐させたミスト用熱媒循環路１９を介して熱媒体を循環させ、ミストノズル１６に供給する水を液々熱交換器１８において熱媒体により加熱できるようにしている。
【００２０】
ミスト用熱媒循環路１９は、暖房用熱媒循環路１０の往路１０ａから分岐されて液々熱交換器１８の一次側１８ａの入口に接続される流入路１９ａと、暖房用熱媒循環路１０の復路１０ｂから分岐されて液々熱交換器１８の一次側１８ａの出口に接続される流出路１９ｂとで構成されている。流出路１９ｂには、熱媒体の流量を調節可能で、且つ、熱媒体の流通を遮断可能な流量調節弁２０が介設されている。
【００２１】
ミスト用給水路１７には、液々熱交換器１８の上流側に位置させて給水弁２１と逆止弁２２とが介設されると共に、液々熱交換器１８の下流側に位置させてミスト弁２３が介設されている。また、液々熱交換器１８とミスト弁２３との間のミスト用給水路１７の部分に二次側温度センサたるミスト温度センサ２４を設け、液々熱交換器１８の二次側１８ｂの水温をミスト温度センサ２４で検出できるようにしている。
【００２２】
上述した室温センサ１４、熱媒温度センサ１５及びミスト温度センサ２４の検出信号は浴室暖房機２用のコントローラ２５に入力され、このコントローラ２５により循環ファン９、熱動弁１３、流量調節弁２０、給水弁２１及びミスト弁２３が制御される。また、浴室暖房機２用のコントローラ２５は熱源機１用のコントローラ２６に通信可能に接続されている。更に、図外のリモコンが浴室暖房機２用のコントローラ２５に通信可能に接続され、リモコンに設けられたミストスイッチがオンされたときにコントローラ２５によるミスト運転制御が行われる。
【００２３】
以下、ミスト運転制御について図２を参照して説明する。ミスト運転制御では、先ず、ＳＴＥＰ１で熱源機１に作動指令を送ると共に熱動弁１３を開弁させる。熱源機１用のコントローラ２６は、浴室暖房機２用のコントローラ２５からの作動指令を受けて、循環ポンプ１２を作動させると共に熱交換器３用のバーナを燃焼させる。かくして、熱源機１で加熱された熱媒体が放熱器８を介して暖房用熱媒循環路１０に循環される。次に、ＳＴＥＰ２に進み、熱媒温度センサ１５の検出温度Ｔｎが冷風の吹出し防止に必要な所定の暖房可能温度ＹＴ１（例えば、４０℃）以上になったか否かを判別する。そして、Ｔｎ≧ＹＴ１になったとき、ＳＴＥＰ３で循環ファン９を作動させて、浴室の暖房を開始する。
【００２４】
次に、ＳＴＥＰ４で流量調節弁２０を全開にして、液々熱交換器１８の一次側１８ａに熱媒体を流し、予熱運転を開始する。その後、ＳＴＥＰ５で室温センサ１４の検出温度Ｔｒがミスト運転可能な所定の下限温度ＹＴ２（例えば、２７℃）以上になったか否かを判別する。Ｔｒ≧ＹＴ２になったときは、ＳＴＥＰ６でミスト温度センサ２４の検出温度Ｔｍが所定の予熱完了温度ＹＴ３（例えば、４０℃）以上になったか否かを判別する。そして、Ｔｍ≧ＹＴ３になったときにＳＴＥＰ７に進み、ミスト弁２３と給水弁２１とを開弁させて、温水を噴霧するミスト運転を開始する。尚、図示しないが、Ｔｍ≧ＹＴ３になったときだけでなく、ミスト温度センサ２４の検出温度Ｔｍが初期の検出温度から所定温度（例えば、７℃）以上上昇したときにも、ＳＴＥＰ７に進んでミスト運転を開始する。
【００２５】
ミスト運転を開始すると、ＳＴＥＰ８で温調制御を行う。温調制御では、室温センサ１４の検出温度Ｔｒがリモコンで設定した設定温度より所定温度（例えば、２℃）以上高くなったとき、ミスト温度センサ２４の検出温度Ｔｍが所定の上限温度（例えば、７０℃）から下限温度（例えば、３５℃）まで段階的に低下するように、液々熱交換器１８の一次側１８ａに流す熱媒体の流量を流量調節弁２０により減少させ、また、室温センサ１４の検出温度Ｔｒが設定温度より所定温度（例えば、２℃）以上低くなったとき、ミスト温度センサ２４の検出温度Ｔｍが段階的に上昇するように、液々熱交換器１８の一次側１８ａに流す熱媒体の流量を流量調節弁２０により増加させることを行う。
【００２６】
次に、ＳＴＥＰ９でミスト運転の終了指令が出されたか否かを判別する。終了指令は、ミストスイッチをオフしたときや、ミスト運転の開始からリモコンで設定される所定の運転時間が経過したときに出される。終了指令が出されるまでは、ＳＴＥＰ８に戻って温調制御を継続する。
【００２７】
ミスト運転の終了指令が出されたときは、ＳＴＥＰ１０で熱源機１に停止指令を送ると共に循環ファン９を停止する。熱源機１用のコントローラ２６は、浴室暖房機２用のコントローラ２５からの停止指令を受けて、バーナの燃焼を停止し、熱交換器３の後沸き防止のために循環ポンプ１２をバーナの燃焼停止後も一定時間継続作動させた後停止する。
【００２８】
次に、ＳＴＥＰ１１に進み、ミスト温度センサ２４の検出温度Ｔｍが所定の基準温度ＹＴ４（例えば、６０℃）以上であるか否かを判別する。そして、Ｔｍ＜ＹＴ４のときは、ＳＴＥＰ１２に進んで、熱動弁１３、流量調節弁２０及び給水弁２１を閉弁し、その後、ＳＴＥＰ１３でミスト弁２３を閉弁し、運転を終了する。
【００２９】
Ｔｍ≧ＹＴ４のときは、ＳＴＥＰ１４でミスト弁２３、給水弁２１及び流量調節弁２０を閉弁した後、ＳＴＥＰ１５でミスト運転の停止指令が出されてから所定の待ち時間が経過したか否かを判別する。この待ち時間は、ミスト運転の終了指令が出されてから循環ポンプ１２が停止するまでにかかる時間に合わせて例えば９０秒程度に設定される。そして、待ち時間が経過したときに、ＳＴＥＰ１６に進み、熱媒温度センサ１５の検出温度Ｔｎが所定の検査可能温度ＹＴ５（例えば、６０℃）以上であるか否かを判別する。Ｔｎ＜ＹＴ５であれば、ＳＴＥＰ１７で熱動弁１３を閉弁し、運転を終了する。
【００３０】
Ｔｎ≧ＹＴ５であれば、リーク検査制御を実行する。リーク検査制御では、先ず、ＳＴＥＰ１８で給水弁２１を開弁させる。液々熱交換器１８の一次側１８ａと二次側１８ｂとの間のリークが発生していると、給水弁２１の開弁で該弁２１を通過した水が液々熱交換器１８の二次側１８ｂから一次側１８ａに流入し、この水が熱媒温度センサ１５の配置部に達して、熱媒温度センサ１５の検出温度Ｔｎが低下する。そこで、給水弁２１の開弁後、ＳＴＥＰ１９で所定の検査時間（例えば、１８０秒）が経過したか否かを判別し、検査時間が経過したときＳＴＥＰ２０に進んで、給水弁２１の開弁時からの熱媒温度センサ１５の検出温度Ｔｎの低下量ΔＴｎが所定のリーク判定値ＹΔ（例えば、３０℃）以上であるか否かを判別する。ΔＴｎ≧ＹΔであれば、リーク発生有りと判定し、ＳＴＥＰ２１でリーク発生を報知する異常表示を行った後、ＳＴＥＰ２２で熱動弁１３と給水弁２１とを閉弁して、運転を終了する。ΔＴｎ＜ＹΔの場合は、リーク発生無しと判定し、異常表示を行うことなくＳＴＥＰ２２に進む。
【００３１】
このようにリーク検査制御では、ミスト弁２３を閉弁した状態で給水弁２１を一旦開弁させるため、リーク検査制御の完了で給水弁２１を閉弁したとき、給水弁２１とミスト弁２３との間に給水圧が掛かったまま水が封じ込められることになる。ここで、ミスト運転中に室温が設定温度以上に上昇したときは、温調制御で液々熱交換器１８の二次側１８ｂの水温を下げるようにしており（３５℃まで低下する可能性がある）、ミスト運転終了時に、液々熱交換器１８の二次側１８ｂの水温が比較的低温になることがある。このような状態でリーク検査制御を行うと、その後にミスト運転の開始指令が出されて予熱運転が行われたときに、液々熱交換器１８の二次側１８ｂの水温が前回のミスト運転終了時の水温をかなり上回る温度に上昇して（Ｔｒ＜ＹＴ１のまま水温が７０℃まで上昇する可能性がある）、給水弁２１とミスト弁２３との間の水圧が給水圧を大幅に上回る圧まで上昇することがある。このような事態になると、ミスト弁２３の弁体がこの水圧で閉じ側に強く押圧され、予熱運転完了時にミスト弁２３のソレノイドに通電して開弁させようとしても、ミスト弁２３が開弁不能となって、温水を噴霧できなくなる。
【００３２】
これに対し、本実施形態において、リーク検査制御が実行されるのは、ミスト運転終了時のミスト温度センサ２４の検出温度Ｔｍ（液々熱交換器１８の二次側１８ｂの水温）が基準温度ＹＴ４以上の比較的高温の場合だけであり、Ｔｍ＜ＹＴ４の場合は、リーク検査制御が禁止される。そのため、リーク検査制御が完了してからミスト運転の開始指令が出されて予熱運転が行われたときに、液々熱交換器１８の二次側１８ｂの水温が前回のミスト運転終了時の水温以上に上昇したとしても、その温度差は僅かになる。従って、予熱運転中に、給水弁２１とミスト弁２３との間の水圧が給水圧を大幅に上回る圧まで上昇することはなく、予熱運転完了時にミスト弁２３が開弁不能となることを防止できる。尚、予熱運転中にＴｒ＜ＹＴ１のまま液々熱交換器１８の二次側１８ｂの水温が７０℃まで上昇する可能性があることを考慮し、基準温度ＹＴ４は６０℃程度の比較的高温に設定される。
【００３３】
また、ミスト運転終了時の液々熱交換器１８の二次側１８ｂの水温が基準温度ＹＴ４未満の場合は、ＳＴＥＰ１２で給水弁２１を閉弁させた後にＳＴＥＰ１３でミスト弁２３を閉弁させるため、ミスト弁２３の閉弁で給水弁２１とミスト弁２３との間に封じ込められる水の圧力は大気圧となる。従って、ミスト運転の開始指令が出されて予熱運転が行われたときに、液々熱交換器１８の二次側１８ｂの水温が前回のミスト運転終了時の水温以上に上昇しても、給水弁２１とミスト弁２３との間の水圧は大気圧から上昇することになり、予熱運転完了時にミスト弁２３が開弁不能となることはない。
【００３４】
また、本実施形態では、暖房用熱媒循環路１０の往路１０ａに配置した熱媒温度センサ１５を、液々熱交換器１８の一次側１８ａの熱媒体温度を検出する二次側温度センサに兼用しているため、コストダウンを図ることができる。この場合、流量調節弁２０をミスト用熱媒循環路１９の流入路１９ａに介設したのでは、リークの発生で液々熱交換器１８の二次側１８ｂから一次側１８ａに水が流入しても、この水がミスト用熱媒循環路１９の流出路１９ｂに流れ、流入路１９ａに連なる暖房用循環路１０の往路１０ａに配置した熱媒温度センサ１５の検出温度Ｔｎが低下せず、リーク発生無しと誤判定される可能性がある。これに対し、本実施形態では、流出路１９ｂに流量調節弁２０を介設し、流量制御弁２０を閉弁させた状態でリーク検査制御を実行しているため、リークにより液々熱交換器１８の二次側１８ｂから一次側１８ａに流入した水が流出路１９ｂに流れることを阻止して、誤判定を防止することができる。
【００３５】
更に、本実施形態では、ミスト運転の終了指令が出されてから循環ポンプ１２が停止するまでにかかる時間に合わせて設定した所定の待ち時間経過後にリーク検査制御を実行している。そのため、液々熱交換器１８の二次側１８ｂから一次側１８ａへの水のリークが循環ポンプ１２による送水圧で妨げられることがなく、リーク発生の有無を正確に判定できる。
【００３６】
また、熱媒温度センサ１５の検出温度Ｔｎが比較的低温の状態でリーク検査制御を行うと、リーク発生があっても検出温度Ｔｎの低下量が小さく、リーク発生無しと誤判定される可能性がある。そこで、本実施形態では、熱媒温度センサ１５の検出温度Ｔｎが検査可能温度ＹＴ５未満のときは、リーク検査制御を禁止し、誤判定を防止している。
【００３７】
以上、本発明の実施形態について図面を参照して説明したが、本発明はこれに限定されない。例えば、上記実施形態では、熱媒温度センサ１５を二次側温度センサに兼用しているが、液々熱交換器１８の内部や流出路１９ｂに熱媒温度センサ１５とは別に二次側温度センサを配置してもよい。この場合、流入路１９ａに流量調節弁２０を介設して、リーク検査制御に際し流量制御弁２０を閉弁することにより、循環ポンプ１２の停止を待たずにリーク検査制御を実行することができる。また、上記実施形態は、浴室暖房機に組み込むミストサウナ装置に本発明を適用したものであるが、浴室暖房機とは分離独立して設けるミストサウナ装置にも同様に本発明を適用できる。
【符号の説明】
【００３８】
１…熱源機、２…浴室暖房機、８…放熱器、１０…暖房用熱媒循環路、１０ａ…往路、１０ｂ…復路、１２…循環ポンプ、１５…熱媒温度センサ（二次側温度センサ）、１６…ミストノズル、１７…ミスト用給水路、１８…液々熱交換器、１８ａ…一次側、１８ｂ…二次側、１９…ミスト用熱媒循環路、１９ａ…流入路、１９ｂ…流出路、２０…流量調節弁、２１…給水弁、２３…ミスト弁、２４…ミスト温度センサ（一次側温度センサ）、２５…浴室暖房機用コントローラ。
【図１】
2011036318.tif 000003
【図２】
2011036318.tif 000004